(57)【要約】      （修正有）【課題】磁性層の厚さが異なる帯状磁気媒体を複数列を隙間なく又は近接させて備える可撓性磁気記録媒体に対して、簡易な磁気ヘッドとパッドローラの構成により、正確な記録再生と小型で安価な装置を提供する。【解決手段】磁気記録部は厚さが異なる複数の磁性層を含み、磁気ヘッド1は前記複数の磁性層各々に対応して情報を記録再生する複数のコア部８、９を１つのヘッドケーシング２内に収容し、パッドローラ５は複数のコア部８、９の各々に対応する複数の別体ローラ３、４よりなり、複数の別体ローラ３、４は１つの支持軸１０に回転可能に軸方向に規制部１３によって規制、支持され且つ付勢手段１１により、複数の磁性層を前記コア部８、９に密着させるように磁気ヘッド１側へ付勢する。【選択図】      図１
2006127638.tif 000002
【特許請求の範囲】
【請求項１】
複数の磁気情報記録部を有する可撓性磁気記録媒体に対して磁気情報を記録再生するために、前記磁気情報記録部各々に対応する磁気ヘッドとパッドローラを備え、前記パッドローラで前記磁気ヘッドに対して前記可撓性磁気記録媒体を付勢するようにした磁気記録再生装置において、前記磁気記録部は、厚さが異なる複数の磁性層を含み、前記磁気ヘッドは、前記厚さが異なる複数の磁性層各々に対応して磁気情報を記録再生する複数のコア部を１つのヘッドケーシング内に収容してなるとともに、前記パッドローラは、前記複数のコア部の各々に対応する複数の別体ローラよりなり、該複数の別体ローラは、１つの支持軸に回転可能に軸方向に規制部によって規制されながら支持され且つ付勢手段により、各々前記厚さが異なる複数の磁性層を前記コア部に密着させるように、前記可撓性磁気記録媒体を前記磁気ヘッド側へ付勢することを特徴とする磁気記録再生装置。
【請求項２】
前記パッドローラは、前記磁気ヘッド側に前記可撓性磁気記録媒体上に形成された第１の磁性層を付勢する第１の別体ローラと、前記第１の磁性層よりも厚さの薄い第２の磁性層を付勢する第２の別体ローラとを備え、該第２の別体ローラは前記第１の別体ローラ側に逃げ部が形成されていることを特徴とする請求項１記載の磁気記録再生装置。
【請求項３】
前記磁気ヘッドは、前記ヘッドケーシングに、前記可撓性磁気記録媒体上に形成された第１の磁性層に対向する第１のコア部と、前記第１の磁性層よりも厚さの薄い第２の磁性層に対向する第２のコア部とが並列配置され、該第１のコア部と該第２のコア部との間に凹部が形成されていることを特徴とする請求項１又は２記載の磁気記録再生装置。
【発明の詳細な説明】
【技術分野】
【０００１】
本発明は、可撓性磁気記録媒体に形成された磁気情報記録部に対して磁気情報の記録再生を行う磁気記録再生装置に関する。さらに詳述すると、本発明は、磁気記録再生装置の磁気ヘッド及び該磁気ヘッドのコア部を押圧するパッドローラに関するものである。
【背景技術】
【０００２】
本明細書において、可撓性磁気記録媒体とは、紙またはプラスチックなどの可撓性素材からなるシート状の磁気記録媒体である。例えば、回数券、商品券，金券、航空チケットとして一回限りの使用でその目的を終えるものや、クレジットカード、キャッシュカード、身分証明書用カードのように有効期間である限り半永久的に反復使用されるものの他、例えばテレフォンカードやオレンジカードなどのプリペイドカードのように各種サービスの代金決済などのため繰り返し使用されるものなど多様である。
【０００３】
特に、可撓性磁気記録媒体の中でも磁気情報によるプリペイド機能を備えるプリペイドカードは、比較的安価に製造できることから市場に広く流通し様々な分野で利用拡大している。また、テレフォンカードやオレンジカード等の従来のプリペイドカードは、その磁気情報記録部に特定の商品サービスの対価としての交換価額に換算可能な磁気情報が記録された可撓性磁気記録媒体であったが、最近は商品サービスを限定しない汎用性ある貨幣価値そのものである電子マネーが記録された可撓性磁気記録媒体としてのプリペイドカードが登場している。
【０００４】
しかし一方で、これら可撓性磁気記録媒体の情報漏洩による偽造などが社会問題となっており、セキュリティ性の高いシステムの構築が必要とされている。そのため、これらの可撓性磁気記録媒体には、特性の異なる磁気情報を記録する複数の磁気情報記録部を設けセキュリティ性を高めている。具体的には、貨幣価値情報が記録された磁気情報記録部である磁気ストライプの他に、カードの属性や使用状況マーク等のセキュリティ情報が記録された磁気情報記録部として磁気バーコード等を設け、磁気ストライプへの不正な記録再生を防止する手段としている。
【０００５】
従来、このような可撓性磁気記録媒体に対して特性の異なる複数種類の磁気情報を記録再生する磁気記録再生装置は、磁気バーコード用、各種磁気ストライプ用等の磁気情報記録部の種類に応じて、各々別個に磁気ヘッド及び当該磁気ヘッドのコア部を押圧するパッドローラの組み合わせセットを複数組設け、それぞれ独立に作動する構成としている。例えば、特許文献１がある。
【特許文献１】特開２００１−３３１９０３号公報
【０００６】
また、従来は、可撓性磁気記録媒体上の磁気ストライプや磁気バーコード等は離間して配置されていたが、最近は、カード等媒体デザインの自由度を確保しつつ、特性の異なる複数種類の磁気情報によりセキュリティ性を維持するため、磁気バーコードや磁気ストライプ等の帯状の磁気情報記録部を複数列隙間なく近接させて備えるとともに、これら磁気情報記録部を形成する磁性層の磁性層の厚さを異ならせた可撓性磁気記録媒体が提案されている。その上、これら可撓性磁気記録媒体を普及汎用型のプリペイドカードとして一層普及させるため、一般小売店等の店頭に設置できる小型で安価な簡易型磁気記録再生装置が要求されている。
【発明の開示】
【発明が解決しようとする課題】
【０００７】
しかしながら、従来の磁気記録再生装置では、情報記録部の種類に応じて、各々別個に磁気ヘッド及びパッドローラの組み合わせセットを複数組設けているので、装置が大型化しコストが掛かるという問題がある。その上、磁気情報記録部を隙間なく又は近接して複数列配置した可撓性磁気記録媒体に対応するためには、各磁気情報記録部に対応する磁気ヘッド及びパッドローラの複数のセットが互いに干渉しないように配置する必要があり、例えば可撓性磁気記録媒体の搬送方向に並べて配置する場合は、媒体搬送路が長くなるので媒体処理時間が長くなり、小売店の店頭等での使用に適さないという問題がある。
【０００８】
また、各々分離独立した磁気ヘッドとパッドローラのセットを媒体幅方向に並列配置し各磁性層に追従させ記録再生する場合は、可撓性磁気記録媒体上の各磁性層が隙間なく又は近接配置されているため、複数組の磁気ヘッド及びパッドローラの離間を極めて狭く設定・調整することは困難であり、その調整のため部品点数が増加するという問題がある。
【０００９】
一方、小型化のために、磁気ヘッドやパッドローラを共通化する場合は、接して配列された厚さの異なる磁性層よりなる複数列の磁気情報記録部を備える可撓性磁気記録媒体の場合は、磁性層の厚さには５〜１０μｍの差があるため、厚い側の磁性層と磁気ヘッドのコアの接触が密になる一方で、薄い側の磁性層とコアとの間に間隔（スペーシング）が発生してしまい、磁気情報記録部と磁気ヘッドの接触が不安定になるので、磁気情報の正確な記録再生ができないというスペーシングロスが発生しこれを解消できないという問題がある。即ちスペーシングロスは、主に磁気バーコードやシリアル磁気コード等の磁気情報記録部を形成する各磁性層の厚さの差と媒体の変形に起因して、磁気ヘッドが磁性層上の磁力線の集中部における励起電流の検出が十分にできないという現象であり、一般にはパッドローラを磁気ヘッドに対して押圧付勢して対策されるが、隙間なく又は近接して配列された磁性層の厚さに差がある場合は、これのみでは解消し得ないのである。
【００１０】
このようなスペーシングロスを防止する方法として、磁気ヘッドのコア部における磁性層の当接面を５〜１０μｍ研磨することで、コア部ともう一方のコア部の間に間隔（スペーシング）相当の差を設け、可撓性磁気記録媒体を磁気ヘッドに押圧する際に、各磁性層とコア部を噛合させる方法がある。しかし、この方法では、高度精密なヘッドコアの研磨加工が必要であり、またそのための専用設備の投資等が必要となるという問題がある。
【００１１】
そこで、本発明の課題は、磁気バーコードやシリアル磁気コード等の磁性層の厚さが異なる帯状の磁気情報記録部を複数列を隙間なく又は近接させて備える可撓性磁気記録媒体に対して、簡易な磁気ヘッドとパッドローラの構成により、正確な磁気情報の記録再生ができるとともに、小型で安価な磁気記録再生装置を提供することにある。
【課題を解決するための手段】
【００１２】
上記の課題を解決するために、本発明は、複数の磁気情報記録部を有する可撓性磁気記録媒体に対して磁気情報を記録再生するために、前記磁気情報記録部各々に対応する磁気ヘッドとパッドローラを備え、前記パッドローラで前記磁気ヘッドに対して前記可撓性磁気記録媒体を付勢するようにした磁気記録再生装置において、前記磁気記録部は厚さが異なる複数の磁性層を含み、前記磁気ヘッドは前記厚さが異なる複数の磁性層各々に対応して磁気情報を記録再生する複数のコア部を１つのヘッドケーシング内に収容してなるとともに、前記パッドローラは前記複数のコア部の各々に対応する複数の別体ローラよりなり、該複数の別体ローラは１つの支持軸に回転可能に軸方向に規制部によって規制されながら支持され且つ付勢手段により、各々前記厚さが異なる複数の磁性層を前記コア部に密着させるように、前記可撓性磁気記録媒体を前記磁気ヘッド側へ付勢することを特徴としている。
【００１３】
このように、磁気記録再生装置は、複数の異なる厚みをもつ磁気情報記録部を記録再生する複数のコア部を１つのヘッドケーシング内に収容するとともに、複数のコア部の各々に対応する複数の別体ローラを１つの支持軸より支持している。そのため、上記磁気情報記録部の厚みの差を、前記パッドローラと前記支持軸との嵌めあい公差で許容することができ、各パッドローラが互いに干渉せずに前記可撓性磁気記録媒体を前記磁気ヘッド側へ押圧、付勢することができる。
【００１４】
これにより、複数の異なる厚みをもつ磁気情報記録部を記録再生するにも関わらず、限られた磁気記録再生装置内の空間に実質的に複数のパッドローラ及び磁気ヘッドを分離、配置するのと同様の構成を実現でき、尚且つ部品点数の増加と機構の複雑化を抑えることができる。また、短い媒体搬送路で短時間で媒体処理できる小型の磁気記録再生装置を構成することができる。
【００１５】
その上、隙間なく又は近接して複数列配置した厚さの異なる複数の磁性層よりなる磁気情報記録部を有する可撓性磁気記録媒体であっても、別体ローラが厚さが異なる複数の磁性層各々に対応する複数のコア部を磁性層に対し確実に押圧し密着させるので、スペーシングロスが発生することもない。したがって、磁性層の厚さに関係なく、磁気情報記録部と磁気ヘッドの接触が安定することができるので、磁気情報の正確な記録再生ができる。
【００１６】
本発明においては、前記パッドローラは前記磁気ヘッド側に前記可撓性磁気記録媒体上に形成された第１の磁性層を付勢する第１の別体ローラと、前記第１の磁性層よりも厚さの薄い第２の磁性層を付勢する第２の別体ローラとを備え、該第２の別体ローラは前記第１の別体ローラ側に逃げ部が形成されていることが好ましい。この場合、前記第２の別体ローラの前記第１の別体ローラ側に逃げ部を形成することにより、可撓性磁気記録媒体を磁気ヘッドに押圧した際に発生する可撓性磁気記録媒体の変形量（媒体撓み）を逃げ部に逃がすことができる。このため、第２の磁性層とコア部を確実に接触させ、安定した磁気情報の記録再生が達成される。
【００１７】
本発明においては、前記磁気ヘッドは、前記ヘッドケーシングに、前記可撓性磁気記録媒体上に形成された第１の磁性層に対向する第１のコア部と、前記第１の磁性層よりも厚さの薄い第２の磁性層に対向する第２のコア部とが並列配置され、該第１のコア部と該第２のコア部との間に凹部が形成されていることが好ましい。この場合、ヘッドケーシングの各コア部の間に凹部を設けることにより、可撓性磁気記録媒体が磁気ヘッドに接触しながら媒体搬送路を走行する際の可撓性磁気記録媒体と磁気ヘッドとの媒体当接面の接触面積を減少させ、接触抵抗が低下するため媒体走行時の負荷を低減させ、媒体が安定的に搬送されるので、磁気情報の記録再生を一層確実にすることができる。
【発明の効果】
【００１８】
本発明の磁気記録再生装置では、複数の異なる厚みをもつ磁気情報記録部を記録再生する複数のコア部を１つのヘッドケーシング内に収容するとともに、複数のコア部の各々に対応する複数の別体ローラを１つの支持軸より支持している。そのため、上記磁気情報記録部の厚みの差を、前記パッドローラと前記支持軸との嵌めあい公差で許容することができ、各パッドローラが互いに干渉せずに前記可撓性磁気記録媒体を前記磁気ヘッド側へ押圧、付勢することができる。これにより、複数の異なる厚みをもつ磁気情報記録部を記録再生するにも関わらず、限られた磁気記録再生装置内の空間に実質的に複数のパッドローラ及び磁気ヘッドを分離、配置するのと同様の構成を実現でき、尚且つ部品点数の増加と機構の複雑化を抑えることができる。また、短い媒体搬送路で短時間で媒体処理できる小型の磁気記録再生装置を構成することができる。
【００１９】
その上、隙間なく又は近接して複数列配置した厚さの異なる複数の磁性層よりなる磁気情報記録部を有する可撓性磁気記録媒体であっても、別体ローラが厚さが異なる複数の磁性層各々に対応する複数のコア部を磁性層に対し確実に押圧し密着させるので、スペーシングロスが発生することもない。したがって、磁性層の厚さに関係なく、磁気情報記録部と磁気ヘッドの接触が安定することができるので、磁気情報の正確な記録再生ができる。
【発明を実施するための最良の形態】
【００２０】
以下、本発明を実施するための最良の形態を図面に基づき説明する。
【００２１】
図１は本発明の実施の形態に係る磁気記録再生装置のパッドローラと磁気ヘッドの正面図であり、図２は図１の要部の断面拡大図である。図３は本発明の実施の形態に適するプリペイドカードの正面図であり、図４は図３のカード幅（短手）方向における断面の拡大図である。図５は本発明の実施の形態に係る磁気記録再生装置の概略構成を示す平面図である。図６は、図５に示す磁気記録再生装置の側面断面図である。
【００２２】
（プリペイドカードの構成）
本形態に適用される可撓性磁気記録媒体としてのプリペイドカードを図３及び図４に示す。このプリペイドカード６には、図３に示すように、主要な磁気情報を記録、再生を繰り返し行うメイン磁気情報記録部６０が設けられている。このメイン磁気情報記録部６０は、磁気ストライプ６０１をはじめとする複数の磁気ストライプその他の磁気情報記録手段により構成されている。また、特性の異なる２列の磁気コード即ちシリアル磁気コード６０２及び磁気バーコード６０３が設けられている。更に、プリペイドカード６には、文字等を印刷し表示したキャラクタ印字表示部６０４、パンチ穴部６０５が等のスペースが設けられている。
【００２３】
また、文字等のキャラクタ印字表示部６０４、パンチ穴部６０５、シリアル磁気コード６０２、磁気バーコード６０３及びメイン磁気情報記録部６０等は、互いに重なり合って干渉することのないように配置されている。なお、これら情報の記録又は表示のプリペイドカード６上の配置は上記に限られるものではなく、用途に応じて磁気バーコードを複数箇所に設けたり、範囲の広狭変更したりすることが適宜可能である。
【００２４】
そして、プリペイドカード６は、図４に示すように、基材６１の表面の全面に第１の磁性層としての高保磁力磁性層６２が形成され、さらに、所定の領域には第２の磁性層としての低保磁力磁性層６３が高保磁力磁性層６２の上に形成されている。具体的には、シリアル磁気コード６０２は、この高保磁力磁性層６２のカードが搬送される方向に沿う最端部に帯状に形成されている。このシリアル磁気コード６０２に隣接して、磁気バーコード６０３は、高保磁力磁性層６２の上に、５〜１０μｍ厚さの低保磁力の磁気層６３を磁気インク印刷等適宜の方法でシリアル磁気コード６０２と平行に配列して形成されている。なお、カード幅（短手）方向において、シリアル磁気コード６０２の幅寸法は７．０±１．２ｍｍであり、磁気バーコード６０３の幅寸法は５．５±０．５ｍｍとなっており、これら２列の磁気コード即ちシリアル磁気コード６０２及び磁気バーコード６０３は接して隙間なく又は近接して配置されている。また、メイン磁気情報記録部６０には、高保磁力磁性層６２上の所定位置に適宜の磁気情報を記録して構成されている。特に、磁気ストライプ６０１は、磁気バーコード６０３から約５ｍｍ程度離間しこれと平行に設けられている。
【００２５】
なお、このようなプリペイドカード６は、比較的小額の個人取引の決済手段として紙幣やコイン同様の頻度でまた比較的粗雑な取り扱いを受けるので、衝撃、カード曲げ、そして静電気に対し強い耐久性が要求される。そのため、好適なプリペイドカードとしては、厚さが０．１８〜０．３６ｍｍで磁気情報によるプリペイド機能を備えＰＥＴ（ポリエチレン・テレフテレート）を主材とするものであり、例えば、ＪＩＳＸ６３１０に規定されるカードであって、その物理的特性、形状及び寸法がＪＩＳＸ６３１１に規定されるカードであるが、このＪＩＳ規格に規定するカードには限定されるものではない。
【００２６】
（磁気記録再生装置の構成）
本形態に関わる磁気記録再生装置２０は、プリペイドカード６のシリアル磁気コード６０２、磁気バーコード６０３及び磁気ストライプ６０１に対する磁気情報の記録又は再生を行うもので、図６に示すように、プリペイドカード６を装置内部に挿入案内するためのカード挿入口２１と、装置内部においてプリペイドカード６がされる媒体搬送路としてのカード搬送路２２と、プリペイドカード６を搬送する搬送手段としての搬送ローラ２３、２４、２７を備えている。
【００２７】
また、カード搬送路２２にはプリペイドカード６に形成されたコード６０２と磁気バーコード６０３とに対して磁気情報の記録再生を行う磁気バーコードヘッド１、及び磁気ストライプ６０１に対して磁気情報の記録再生を行う磁気ヘッド１５をそれぞれ含む磁気情報記録機構２５を備えている。更に、磁気情報記録機構２５よりカード搬送路２２奥側には、プリペイドカード６のパンチ穴部６０５にパンチ穴を穿孔するパンチ機構２６が配置されている。
【００２８】
カード挿入口２１は、プリペイドカード６の挿入を案内するように、装置奥側に向かって狭まる斜面により形成され、カード挿入口２１の最奥口はプリペイドカード６の厚さ及び幅よりもわずかに大きく、高さ（カード厚さ方向）Ｈは０．５〜１ｍｍ程度に形成され、幅（カード幅方向）Ｗは約５７．５ｍｍに形成されている。
【００２９】
また、カード挿入口２１近傍の装置奥側には、カード幅の略中央位置に、プリペイドカード６の挿入時の搬送をガイドすると共に異物の挿入を防止する役割を果たす搬送ローラ２７、２７が上下に設けられている。なお、搬送ローラに代えて、適宜のシャッター開閉機構を設けることもできる。
【００３０】
カード搬送路２２は、カード挿入口２１から装置の奥側に延びてプリペイドカード６が搬送される通路であり、搬送されるプリペイドカード６をガイド規制する上側の上フレーム２８と、下側の下フレーム２９と、搬送方向に向かって左右側の側辺部３０、３０とから形成されている。
【００３１】
搬送手段としての搬送ローラ２３、２４は、図５に示すように、カード幅方向において、シリアル磁気コード６０２、磁気バーコード６０３及び磁気ストライプ６０１が形成されている側とは反対側に配置されている。また、搬送ローラ２３、２４は、カード搬送方向において、パンチ機構２６を挟むように配置されるとともに、一方の搬送ローラ２３は、磁気情報記録機構２５の近傍に配置される。このような配置により、パンチ穴の穿孔や磁気情報の記録において、正確なカード搬送位置の制御を行うことができる。なお、カード搬送手段は、搬送ローラに限らず、搬送ベルトで挟持してカードを搬送する構成であっても、搬送ベルトとパッドローラの組み合わせであっても良く適宜の構成が可能である。
【００３２】
さらに、図６に示すように、搬送ローラ２４は、カード搬送路２２の上側に配置された従動搬送ローラ２４ａと対向する駆動搬送ローラ２４ｂの間にプリペイドカード６を挟んで搬送する。そして、下側の駆動搬送ローラ２４ｂは図示しないプーリ及びベルトにより相互に連結されるとともに、駆動源のモータに連結され、上側の搬送ローラ２４ａは回転自在に設けられている。なお、図６には示していないが、搬送ローラ２３は、搬送ローラ２４と同様に、従動搬送ローラ、駆動搬送ローラを備えている。また、磁気ヘッド１５には、そのコア部を押圧するパッドローラ１６が形成されている。
【００３３】
（磁気情報記録機構の構成）
磁気バーコードヘッド１は、ヘッドケーシング２内に第２のコア部８及び第１のコア部９を支持収納してなる。第２のコア部８はプリペイドカード６のシリアル磁気コード６０２に対する磁気情報の記録再生等を行うもので、第１のコア部９は磁気バーコード６０３に記録された磁気情報の記録再生等を行うようになっている。また、プリペイドカード６への磁気情報の記録再生作動の際に、シリアル磁気コード６０２及び磁気バーコード６０３に当接するコア部８及び９の当接面は同一平面内に設けられている。
【００３４】
また、コア部８及び９の間には凹部７が設けられている。この凹部７によって、プリペイドカード６に対する磁気バーコードヘッド１の接触面積が小さくなるので、プリペイドカード６搬送時の摩擦を小さくでき、良好なカード搬送を実現できる。さらに、凹部７を設けることによって、プリペイドカード６と接触する磁気バーコードヘッド１のコア部８、９を含む接触部の幅を後述するパッドローラ５のフラット部（円柱部）の幅、即ち第２の別体ローラ３及び第１の別体ローラ４の幅の総和よりも狭くすることになるので、パッドローラ５がプリペイドカード６上のシリアル磁気コード６０２及び磁気バーコード６０３をコア部８、９に押圧させる接触圧を上昇させることができ、良好な磁気情報の読み取りを実現することができる。
【００３５】
ここで、磁気バーコードヘッド１の加工について説明する。シリアル磁気コード６０２及び磁気バーコード６０３に当接するコア部８及び９の当接面は、同一平面を形成するように研磨加工されている。この研磨加工は、樹脂等によりヘッドケーシング２内にコア部８及び９をコア窓にコア部８及び９の当接面が臨むように固定した後に、ヘッドケーシング２を保持して同時に研磨するものである。また、凹部７は、ヘッドケーシング２をプレス等で成型する際に、前記のコア窓の間に同時に形成される。このように磁気バーコードヘッド１を加工する場合、スペーシングロス解消するためにコア部８とコア部９の高さにスペーシング相当の差（５〜１０μｍ）を設けるようにコア研磨をするというような特別の高精度な加工は必要ない。そのため、コア部８、９の削磨を行う際、従来の設備でも容易に高度の削磨加工が可能であり、新規設備を必要としない。また、凹部７は、ヘッドケーシング２を成型する際にその金型で同時に加工成型されるので、ヘッドケーシング２への特別な追加工も不要である。
【００３６】
次に、パッドローラ５は、支持軸１０に回転自在に支持される別体ローラ３、４によって構成され、カード搬送路２２の上フレーム２８に取り付けられ、磁気バーコードヘッド１のカード搬送路２２を挟んで対向する側に設けられている。第２の別体ローラ３と第１の別体ローラ４は、プリペイドカード６のシリアル磁気コード６０２と磁気バーコード６０３とを磁気バーコードヘッド１の第２のコア部８、第１のコア部９に対して押圧するようになっている。
【００３７】
支持軸１０は、軸両端が上フレーム２８に設けた図示しないＵ字軸受けによって上下移動可能に、即ち磁気バーコードヘッド１に対して接近及び離間する方向に支持されるとともに、付勢部材１１によってカード搬送路側に付勢されている。従って、パッドローラ５は、対向する磁気バーコードヘッド１に向けて一定の圧力で付勢されており、プリペイドカード６への磁気情報の記録再生作動の際には、シリアル磁気コード６０２及び磁気バーコード６０３に対し２つのコア部８、９を押圧して当接させることになっている。
【００３８】
なお、本形態の付勢部材１１は、１枚の板バネにより構成し、支持軸１０の両端にバッド圧をかけ、第２の別体ローラ３、第１の別体ローラ４をパッドローラ５全体として、磁気バーコードヘッド１側へ付勢する付勢部材１１としている。また、別体ローラを摩擦係数の低い樹脂材料により形成して、直接板バネで付勢する構成としても良い。付勢部材１１としては、トーションバネ等の付勢部材を用いることもできる。
【００３９】
パッドローラ５の別体ローラ３、４は、それぞれ独立の回転体であり、規制部１３によって軸方向への位置ずれを規制されている。規制部１３は、別体ローラ３、４が磁気バーコードヘッド１のコア部８、９に対向する位置に配置されるように位置ずれを防止するもので、搬送路２２の上フレーム２８に一体に設けられている。なお、支持軸１０にＥリング等により設けることもできる。要は、第２の別体ローラ３、第１の別体ローラ４の軸方向の幅と第２のコア部８、第１のコア部９の幅とを考慮して、シリアル磁気コード６０２及び磁気バーコード６０３への磁気情報の正常な記録再生が可能な範囲で別体ローラ３、４の位置ずれを防止できれば、規制部１３はどのような構成であっても良い。
【００４０】
別体ローラ３、４の回転軸方向の端面には別体ローラ３、４の本体よりも直径の小さいリング状の鍔部３ａ，４ａが支持軸１０周りに形成されており、別体ローラ３、４の間の鍔部３ａにより別体ローラ３、４の相互の回転干渉を防止できる。また、規制部１３と別体ローラ３、４との摩擦接触による回転への影響を防止することができる。なお、鍔部３ａ，４ａは、別体ローラ３、４の少なくともひとつの各端面に設ければ十分機能するが、各端面に設けてもよい。
【００４１】
次に、プリペイドカード６のシリアル磁気コード６０２を押圧する第２の別体ローラ３は、磁気バーコード６０３を押圧する第１の別体ローラ４側にプリペイドカード６を押圧した際に第１の別体ローラ３側に生じるカードの撓み部を逃がす逃げ部１２が形成してある。本実施の形態では、逃げガタの総和寸法が磁気バーコードヘッド１の第２のコア部８の幅よりも大きくなるように、且つ第２の別体ローラ３に０．５〜１．０ｍｍ程度の面取りが逃げ部１２として形成されている。なお、パッドローラ５の面取りは、第２の別体ローラ３のフラット部（円柱部）の厚さ寸法と別体ローラ３のスラスト媒体厚、媒体材質、チャンネルの間隔寸法からカードの変形量を総合的に考慮した上で設定することが好ましい。また、同様の逃げ部を別体ローラ４の別体ローラ３と対向する側にも補助的に設けることもできる。
【００４２】
さらに、別体ローラ３、４の内径と支持軸１０の外径の間には、公差０．０１ｍｍのガタを設けてあり、別体ローラ３と別体ローラ４の２つの別体ローラで最大０．０２ｍｍの公差を確保している。従って、薄い磁性層（第２の磁性層）シリアル磁気コード６０２と厚い磁性層（第１の磁性層）磁気バーコード６０３の磁性層厚さの差Ｄ（５〜１０μｍ）を解消可能な範囲において、別体ローラ３と別体ローラ４が実質的に独立のパッドローラとして機能しリペイドカード６を押圧する。即ち、それぞれ別体ローラ３がシリアルバーコード６０２を、別体ローラ４が磁気バーコード６０３を各磁性層の厚さに追従して押圧するので、磁性層の厚さ差Ｄを解消し、スペーシングロスの発生を防止できる。
【００４３】
磁気ヘッド１５は、磁気ストライプ６０１に記録された磁気情報の記録再生を行うもので、プリペイドカード６の磁気情報の方式種類により多チャンネルヘッド等適宜の構成を選択できる。図６に示すように、この磁気ヘッド１５とカード搬送路２２を挟んで対向するようにパッドローラ１６が配置されている。そして、パッドローラ１６は、板バネ等の付勢部材１１により磁気ヘッド１５側に付勢され、プリペイドカード６の磁気ストライプ６０１を磁気ヘッド１５に対し押圧している。また、パッドローラ１６、パッドローラ５及び搬送ローラ２３の従動ローラ２３ａは、同一直線上に各々が軸支されていることが望ましい。
【００４４】
（カードの処理動作）
以上のように構成された磁気記録再生装置２０におけるプリペイドカード６との処理動作を図５及び図６を用いて説明する。
【００４５】
プリペイドカード６は、ユーザによってカード挿入口２１からパッドローラ２７にガイドされて磁気記録再生装置２０の内部に挿入される。プリペイドカード６の先端が磁気バーコードヘッド１及び磁気ヘッド１５及び搬送ローラ２３の位置に到達すると図示しないセンサがプリペイドカード６の到達を検知して、搬送ローラ２３が駆動され、磁気バーコードヘッド１及び磁気ヘッド１５による磁気情報の記録再生処理が開始される。なお、プリペイドカード６は、手動挿入及び搬送ローラ２３、２４による搬送の間、搬送路２２に沿って、上フレーム２８と下フレーム２９とによりカード厚さ方向の動きが規制され、且つカード搬送方向左右の側辺部３０、３０によりカード幅（短手）方向の規制を受けてガイドされる。
【００４６】
磁気情報の記録再生処理は、まず、低保磁力の磁気層６３で構成される磁気バーコード６０３に対する再着磁が磁気バーコードヘッド１のコア部９でなされ、そのバーコード情報の読取とともにシリアル磁気コード６０２の情報読取が磁気バーコードヘッド１のコア部８、９で行われる。これにより、図示しない上位装置等の情報処理処理装置によって、これら情報に基づきカード属性及びセキュリティ確保等の確認がなされ、取引の可否が判断される。
【００４７】
プリペイドカード６に問題が発見されず取引が可能と判断された場合、更に、メイン磁気情報記録部６０の磁気ストライプ６０１の貨幣価値や使用度数の残高やその他の磁気情報（以下「残高情報等」という）の読取が磁気ヘッド１５によりなされる。この残高情報等は上位装置に送信されて所定の取引決済処理がなされた後、更新されて新たな残高情報等として磁気記録再生装置２０に送信され、磁気ヘッド１５によりプリペイドカード６の磁気ストライプ６０１に書き込まれる。このようなプリペイドカード６に対する記録再生がなされる間、搬送ローラ２３は書込及び読取の工程に応じて適宜に順送及び逆送の作動を繰り返す。
【００４８】
磁気ストライプ６０１に対する更新された残高情報等の書込が終了した後、プリペイドカード６は搬送ローラ２３及び２４により装置奥側のパンチ位置に挟持された状態で搬送され、パンチ機構２６によって上位装置の指示または残高情報等の内容に従う所定の位置にパンチ穴を穿孔される。この穿孔の際に、プリペイドカード６は、搬送ローラ２３及び２４は挟持されているので、正確に位置決めされ位置ずれすることもない。
【００４９】
プリペイドカード６は、以上のような記録再生等の処理が行われた後、搬送ローラ２３及び２４により、挿入口２１に向かって返送され、ユーザに返却される。なお、プリペイドカード６のアプリケーションによっては、カード挿入口２１に向かって返送されず更に次の処理のために装置奥側に搬送される場合もある。また、前述の磁気バーコード６０３及びシリアル磁気コード６０２の情報読取に基づくセキュリティ確保等の確認で取引が可能と判断された場合も、プリペイドカード６は搬送ローラ２３によりユーザに返却されるか又は搬送ローラ２３及び２４により磁気記録再生装置２０奥側の不正カード回収部や排出口に搬送される。
【００５０】
（本形態の効果）
以上説明したように、本形態の磁気記録再生装置２０では、磁気情報の記録再生処理がなされる際、プリペイドカード６の厚さの異なるシリアル磁気コード６０２と磁気バーコード６０３に対して、パッドローラ５の第２の別体ローラ３、第１の別体ローラ４がそれぞれ独立に押圧力を加えて、シリアル磁気コード６０２及び磁気バーコード６０３と対向する第２のコア部８、第１のコア部９とを確実に密着させるとともに、同一の支持軸１０に対する第２の別体ローラ３、第１の別体ローラ４の取り付け公差が二つの磁性層６０２及び６０３の厚さの差Ｄによって生ずる間隔（スペーシング）を解消してスペーシングロスの発生を防止することができる。
【００５１】
さらに、本形態では、第２の別体ローラ３、第１の別体ローラ４について、同一の付勢部材１１と支持軸１０を用いることにより、磁気記録再生装置２０内の制限のある空間において、複数のパッドローラを分離、配置することを可能とし、尚且つ部品点数の増加と機構の複雑化を抑えることができる。
【００５２】
また、本形態では、プリペイドカード６を別体ローラ３、４で磁気バーコードヘッド１のコア部８と９に押圧した際に、薄い磁性層（第２の磁性層）よりなるシリアル磁気コード６０２と厚い磁性層よりなる磁気バーコード６０３との間に生じるカードの撓みを、別体ローラ３に面取り形成された逃げ部１２に逃がすことにより、シリアル磁気コード６０２と第２のコア部８との接触及び磁気バーコード６０３と第１のコア部９との接触を一層安定させることができる。
【００５３】
本形態では、磁気バーコードヘッド１のコア部８、９の間に凹部７を設けることにより、プリペイドカード６が磁気バーコードヘッド１に接触しながらカード搬送路２２を走行する際に、プリペイドカード６と磁気バーコードヘッド１の接触面積を少なくし接触抵抗を低下させることにより、磁気カード走行時の負荷を低減させることができる。さらに、凹部７を設けることによりプリペイドカード６に対するコア部８、９の接触面積をパッドローラ５の接触面積よりも小さくすることにより、パッドローラ５がプリペイドカード６のシリアルバーコード６０２及び磁気バーコード６０３をコア部８、９に圧接させる接触圧を上昇させ、良好な磁気情報の読み取りを実現することができる。
【００５４】
（他の実施の形態）
上述した形態は、本発明の好適な形態の一例であるが、これに限定されるものではなく本発明の要旨を変更しない範囲において種々変形可能である。例えば、上述した形態においては、別体ローラ３の別体ローラ４と対向する側に逃げ部１２が形成してあるが、段付きローラなどを用いカードの撓み部をパッドローラ部４側に逃がしても良い。
【００５５】
さらに、本形態ではヘッドケーシング２に格納されるコア部はコア部８，９の２つであったが２つに限定されることはなく、またコア部に対応するパッドローラの数についても限定されるものではない。例えば、プリペイドカード６のレイアウト構成によって、磁気ストライプ６０１と磁気バーコード６０３の配置間隔が略５ｍｍ以下になるような場合は、磁気ヘッド１５と磁気バーコードヘッド１並びにこれらに対向するパッドローラ５とパッドローラ１６とを各々別個に形成することが困難であり、磁気ストライプ６０１、磁気バーコード６０３及びシリアルバーコード６０２に対応する一体型の磁気ヘッド及び３個の別体ローラによる構成とすることができる。この場合、略５ｍｍ以下の離間して配置される磁気ストライプ６０１と磁気バーコード６０３の間でも、隣接配置されたシリアルバーコード６０２と磁気バーコード６０３におけるスペーシングロスと同様の問題が発生する。しかし、本発明の適用によれば、そのスペーシングロスの発生を防止して、確実な磁気情報の記録再生を実現できる。
【図面の簡単な説明】
【００５６】
【図１】本発明の実施の形態に係わるパッドローラおよび磁気バーコードヘッドの概要構成を示す平面図である。
【図２】本発明の実施の形態に係わるパッドローラがプリペイドカードを押圧した時の断面拡大図である。
【図３】本発明の実施の形態に係わるプリペイドカードの構成を示す平面図である。
【図４】図３に示すプリペイドカードのカード幅（短手）方向の断面図である。
【図５】本発明の実施の形態に係わる磁気記録再生装置の構成を示す磁気記録再生装置上辺部からみた平面図である
【図６】図５に示す磁気記録再生装置のカード挿入口及びカード搬送路を示す側面断面図である。
【符号の説明】
【００５７】
１  磁気バーコードヘッド
２  ヘッドケーシング
３  第２の別体ローラ、
４  第１の別体ローラ
５  パッドローラ
６  プリペイドカード
７  凹部
８  第２のコア部
９  第１のコア部
１０  支持軸
１１  付勢部材
１２  逃げ部
１３  規制部
１５  磁気ヘッド
２０  磁気記録再生装置
６２  第２の磁性層
６３  第１の磁性層
【図１】
2006127638.tif 000003
【図２】
2006127638.tif 000004
【図３】
2006127638.tif 000005
【図４】
2006127638.tif 000006
【図５】
2006127638.tif 000007
【図６】
2006127638.tif 000008